(57)【要約】【課題】視聴予約番組をリアルタイム視聴する機会の損失の抑制と、視聴予約番組を再生し続けることによる無駄な消費電力の削減と、を両立させたテレビを実現する。【解決手段】テレビ１は、視聴予約番組の開始時に周囲の人の有無を判定する視聴者有無判定部１１８ｂを備える。判定部１１８ｂは、周囲に人が居ないとその後も一定期間に亘って周囲の人の有無を判定し、該期間中に過去の各判定結果に基づき、視聴予約番組をユーザが視聴する傾向が強いか弱いかを判定する。視聴予約処理部１１８ａは、期間内に周囲に人が来ないか上記傾向が弱いと判定された時点で、番組再生を終了させる。【選択図】図２
2014072585.tif 000002
【特許請求の範囲】
【請求項１】
視聴予約された番組を再生する再生手段と、
上記番組の開始時刻、または、当該開始時刻の直前に、自装置の周囲に人が居るか否かを判定する第１判定手段と、
第１判定手段によって周囲に人が居ないと判定された場合、第１判定手段による過去の一連の判定結果に基づいて、視聴予約した番組をユーザが視聴する傾向が強いか弱いかを判定する第２判定手段と、を備え、
上記再生手段は、第２判定手段により上記傾向が弱いと判定された場合には判定の時点で上記番組の再生を終了し、第２判定手段により上記傾向が強いと判定された場合には、判定の時点以降も上記番組の再生を継続する、ことを特徴とする番組再生装置。
【請求項２】
第１判定手段によって周囲に人が居ないと判定された場合、上記開始時刻になってからの特定期間であって上記判定の時点を期間の途中に含む特定期間内に周囲に人が来たか否かを判定する第３判定手段をさらに備え、
第２判定手段は、第１判定手段によって周囲に人が居ないと判定された場合、第１判定手段および第３判定手段による過去の一連の判定結果に基づいて、視聴予約した番組をユーザが視聴する傾向が強いか弱いかを判定し、
上記再生手段は、第２判定手段により上記傾向が強いと判定され、その後に第３判定手段により上記特定期間内に周囲に人が来なかったと判定された場合には、第３判定手段による判定の時点で、上記番組の再生を継続せずに終了する、ことを特徴とする、請求項１に記載の番組再生装置。
【請求項３】
ユーザを識別するための識別情報を登録可能に構成されており、
上記識別情報が登録されている複数のユーザの各々について、当該ユーザが自装置の周囲に居る場合に当該ユーザを認識する認識手段をさらに備え、
第１判定手段は、上記視聴予約が上記認識手段によりユーザが認識されている間に登録された視聴予約である場合、当該視聴予約が登録された番組の開始時刻、または、当該開始時刻の直前に、上記認識手段による認識結果に基づいて自装置の周囲に当該ユーザが居るか否かを判定し、
第２判定手段は、第１判定手段によって周囲に当該ユーザが居ないと判定された場合、第１判定手段および第３判定手段による当該ユーザを対象とする過去の一連の判定結果に基づいて、当該ユーザが視聴予約した番組を視聴する傾向が強いか弱いかを判定し、
第３判定手段は、第１判定手段によって周囲に当該ユーザが居ないと判定された場合、上記特定期間内に周囲に当該ユーザが来たか否かを判定し、
上記再生手段は、第２判定手段により当該ユーザが視聴予約した番組を視聴する傾向が強いと判定され、その後に第３判定手段により上記特定期間内に周囲に当該ユーザが来なかったと判定された場合には、第３判定手段による判定の時点で、上記番組の再生を終了する、ことを特徴とする、請求項２に記載の番組再生装置。
【請求項４】
視聴予約された番組を再生する再生工程と、
上記番組の開始時刻、または、当該開始時刻の直前に、自装置の周囲に人が居るか否かを判定する第１判定工程と、
第１判定工程にて周囲に人が居ないと判定された場合、過去の第１判定工程における各判定結果に基づいて、視聴予約した番組をユーザが視聴する傾向が強いか弱いかを判定する第２判定工程と、を含み、
上記再生工程は、第２判定工程にて上記傾向が弱いと判定された場合には判定の時点で終了し、第２判定工程により上記傾向が強いと判定された場合には、判定の時点以降も継続する、ことを特徴とする、番組再生装置の番組再生方法。
【請求項５】
請求項１から３のいずれか１項に記載の番組再生装置としてコンピュータを動作させるプログラムであって、コンピュータを上記各手段として機能させるためのプログラムが記録されているコンピュータ読み取り可能な記録媒体。
【発明の詳細な説明】
【技術分野】
【０００１】
本発明は、視聴予約機能を備えた番組再生装置（テレビジョン受像機等）および番組再生方法に関する。また、本発明は、そのような番組再生装置としてコンピュータを動作させるプログラムが記録されている記録媒体に関する。
【背景技術】
【０００２】
昨今では、ユーザの行動に応じて装置に適切な処理（例えば、省エネ制御）を行わせるための様々な技術が提案されている。そのような技術のひとつとして特許文献１に開示されている技術が挙げられる。
【０００３】
特許文献１に開示されている機器連動制御装置は、視聴予約情報の開始時刻に人体検知部により人体が検知されない場合に、視聴予約情報が示す期間だけＤＶＤレコーダで録画するようなリモコン信号を生成して、ＤＶＤレコーダへ送信する。一方、この機器連動制御装置は、視聴予約情報の開始時刻に人体が検知された場合に、視聴予約情報が示すチャンネルに設定するための制御信号を生成して、テレビ受像機に送信する。
【０００４】
また、特許文献２には、ユーザの行動パターンを利用して、複数の機器の連携動作を制御する機器制御システムの技術が開示されている。なお、具体的な説明は省略するが、特許文献３〜８の各文献にも、ユーザの行動に応じて装置に適切な処理を行わせるための技術が開示されている。
【先行技術文献】
【特許文献】
【０００５】
【特許文献１】特開２０１１−４０９３７号公報（２０１１年２月２４日公開）
【特許文献２】国際公開第２００６／０３０７４２号（２００６年３月２３日公開）
【特許文献３】特開平１１−２４２７３３号公報（１９９９年９月７日公開）
【特許文献４】特開平９−３４４２４号公報（１９９７年２月７日公開）
【特許文献５】特開２０００−２４２２５５号公報（２０００年９月８日公開）
【特許文献６】特開平６−１４１３１５号公報（１９９４年５月２０日公開）
【特許文献７】特開２０１１−１０８０５０号公報（２０１１年６月２日公開）
【特許文献８】特開２０１２−６０５０４号公報（２０１２年３月２２日公開）
【発明の概要】
【発明が解決しようとする課題】
【０００６】
上記特許文献１の構成は、視聴予約情報の開始時刻に人体を検知しない場合にはテレビ受像機に番組を表示させないが、これによりユーザが番組（例えば、スポーツの中継番組）をリアルタイム視聴する機会を損失させてしまうことがある。
【０００７】
すなわち、視聴予約情報の開始時刻に、ユーザが、人体が検知されない位置であってテレビ受像機に表示される番組を視聴可能な位置に居る場合にも、機器連動制御装置は、視聴予約された番組をテレビ受像機に表示させずにＤＶＤレコーダに録画させてしまう。
【０００８】
本発明は、上記課題に鑑みて成されたものであり、その主な目的は、ユーザが視聴予約した番組をリアルタイム視聴する機会の損失の抑制と、上記番組が視聴される可能性が低いのに番組を再生し続けることによる無駄な消費電力の削減と、を両立させたテレビジョン受像機（より一般的には、番組再生装置）を実現することにある。
【課題を解決するための手段】
【０００９】
上記の課題を解決するために、本発明の一態様に係る番組再生装置は、視聴予約された番組を再生する再生手段と、上記番組の開始時刻、または、当該開始時刻の直前に、自装置の周囲に人が居るか否かを判定する第１判定手段と、第１判定手段によって周囲に人が居ないと判定された場合、第１判定手段による過去の各判定結果に基づいて、視聴予約した番組をユーザが視聴する傾向が強いか弱いかを判定する第２判定手段と、を備え、上記再生手段は、第２判定手段により上記傾向が弱いと判定された場合には判定の時点で上記番組の再生を終了し、第２判定手段により上記傾向が強いと判定された場合には、判定の時点以降も上記番組の再生を継続する、ことを特徴としている。
【発明の効果】
【００１０】
本発明の一態様に係る番組再生装置は、ユーザが視聴予約した番組をリアルタイム視聴する機会の損失の抑制と、上記番組が視聴される可能性が低いのに番組を再生し続けることによる無駄な消費電力の削減と、を両立させることができる。
【図面の簡単な説明】
【００１１】
【図１】本発明の一実施形態に係るテレビジョン受像機の構成を示すブロック図である。
【図２】図１のテレビジョン受像機の一部分を詳細に示したブロック図である。
【図３】視聴予約された番組の開始時刻になったときに図１のテレビが開始する動作を示すフローチャート図である。
【図４】図３の動作の一部分を詳細に示したフローチャート図である。
【図５】図３の動作中に図１のテレビが更新するユーザの行動情報を例示した図である。
【図６】視聴予約された番組の開始時刻になったときに図１のテレビが開始する動作を示すフローチャート図である。
【図７】視聴予約された番組の開始時刻になったときに図１のテレビが開始する変形例に係る動作を示すフローチャート図である。
【図８】図７の動作の一部分を詳細に示したフローチャート図である。
【図９】図７の動作中に図１のテレビが参照および更新するユーザの行動情報を例示した図である。
【発明を実施するための形態】
【００１２】
本発明の実施形態について、図面に基づいて説明すれば以下のとおりである。なお、以下の説明においては、表示制御装置として液晶ディスプレイを備えたテレビジョン受像機（以下「液晶テレビ」と呼称する）を例示するが、本発明はこれに限定されるものではない。すなわち、液晶テレビは、表示制御装置として機能する機器の一例に過ぎず、例えば、プラズマテレビ、携帯電話、チューナ内蔵のパーソナルコンピュータといった他の機器に置換可能である。
【００１３】
本実施形態に係る液晶テレビは、視聴予約機能を備えており、視聴予約された番組の開始時刻になると、視聴予約された番組を再生する。液晶テレビは、番組の開始時刻においてスタンバイモードに成っている場合には、スタンバイモードから復帰（起動）した上で、視聴予約された番組を再生する。
【００１４】
〔液晶テレビの構成〕
液晶テレビ１の構成について、図１および図２を参照して説明する。図１は、液晶テレビ１の構成を示す図であり、図２は、主に、テレビ１の一部分の構成（特に、ＣＰＵ１１８、ＬＣＤ１１０の構成）を詳細に示した図である。
【００１５】
図１に示すように、テレビ１は、３つのＨＤＭＩ入力端子１１ａ〜１１ｃ、ＨＤＭＩスイッチ１１ｄ、ＨＤＭＩレシーバ１００、映像入力端子１０１ａ、音声入力端子１０１ｂ、ＢＤドライブ１０２、チューナ１０３、ＩＰ放送チューナ１０４、衛星放送チューナ１０５、ＯＳＤ生成部１０６、映像セレクタ１０７、映像処理回路１０８、ＬＣＤコントローラ１０９、ＬＣＤ（Liquid Crystal Display）１１０、音声セレクタ１１１、音声処理回路１１２、デジタルアンプ１１３、スピーカ１１４、イーサネットＩ／Ｆ１１５（イーサネット：登録商標）、ＲＯＭ１１６、ＲＡＭ１１７、ＣＰＵ１１８、赤外線受光部１１９、カメラ１２０、人感センサ１２１、及び、内蔵時計１２２を備えている。図１においては、映像信号の経路を実線で、音声信号の経路を１点鎖線で、データや制御信号の経路（バス）を太線で示している。
【００１６】
（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）（地上波デジタル放送用）チューナ１０３が受信した映像、（５）ＩＰ放送チューナ１０４が受信した映像、及び、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、及び、（６）衛星放送チューナ１０５が受信した音声は、それぞれ、音声セレクタ１１１に供給される。
【００１７】
なお、（ａ）ＨＤＭＩレシーバ１０１が何れのＨＤＭＩ入力端子から入力されるコンテンツを受信するか、すなわち、ＨＤＭＩスイッチ１１ｄが何れのＨＤＭＩ入力端子から入力されたコンテンツをＨＤＭＩレシーバ１００に供給するか、（ｂ）チューナ１０３が何れのチャンネルを介して伝送された番組を受信するか、（ｃ）ＩＰ放送チューナ１０４が何れのサーバから配信された番組を受信するか、（ｄ）衛星放送チューナ１０５が何れのチャンネルを介して伝送された番組を受信するかを決める選択制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００１８】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、及び、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００１９】
映像処理回路１０８は、映像セレクタ１０７から供給された映像の画質を調整する。また、映像処理回路１０８は、映像セレクタ１０７から供給された映像をスケーリングする。ここで、画質の調整とは、例えば、輝度、シャープネス、及び、コントラストの少なくとも何れかを変化させることを指す。また、スケーリングとは、表示すべき映像本来のアスペクト比を保ったままサイズを縮小することを指す。映像処理回路１０８によって画質調整とスケーリングとを施された映像は、ＬＣＤコントローラ１０９に供給される。なお、映像処理回路１０８が画質をどのように変化させるか、及び、映像をどの程度縮小するかは、ＣＰＵ１１８によって制御される。
【００２０】
ＬＣＤコントローラ１０９は、映像処理回路１０８から供給された映像が表示されるようにＬＣＤ１１０を駆動する。これにより、映像セレクタ１０７により選択された映像がＬＣＤ１１０から出力される。なお、ＯＳＤ生成部１０６からＯＳＤ画像が供給されている場合、ＬＣＤコントローラ１０９は、ＯＳＤ生成部１０６から供給されたＯＳＤ画像を映像処理回路１０８から供給された映像に重ねて表示する。また、ＬＣＤコントローラ１０９は、秒間何コマの映像信号が前段から入力されているかをバックライト制御回路１１０ｃに通知するようになっている。
【００２１】
音声セレクタ１１１は、ＨＤＭＩレシーバ１００から供給された音声、映像入力端子１０１ａから供給された音声、ＢＤドライブ１０２から供給された音声、チューナ１０３から供給された音声、ＩＰ放送チューナ１０４から供給された音声、及び、衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択と、は連動しており、例えば、映像セレクタ１０７がＨＤＭＩレシーバ１００から供給された映像を選択しているときには、音声セレクタ１１１もＨＤＭＩレシーバ１００から供給された音声を選択する。
【００２２】
音声処理回路１１２は、音声セレクタ１１１から供給された音声の音量及び音質を調整する。ここで、音質の調整とは、音声セレクタ１１１から供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００２３】
デジタルアンプ１１３は、音声処理回路１１２から供給された音声が出力されるようにスピーカ１１４を駆動する。これにより、音声セレクタ１１１により選択された音声がスピーカ１１４から出力される。
【００２４】
ＣＰＵ１１８は、赤外線受光部１１９が受信したリモコン信号、カメラ１２０が撮像した画像、及び、人感センサ１２１が出力するセンサ信号に応じて上記各部を制御する。人感センサ１２１のセンサ信号は、その感知範囲内に人が存在するか否かを示す２値信号である。赤外線受光部１１９を用いた制御としては、例えば、画質調整モードをリモコン信号（画質設定指示）に応じて切り替える制御や、チューナ１０４にて選択するチャンネルをリモコン信号に応じて切り替える制御、映像セレクタ１０７及び音声セレクタ１１１にて選択する映像及び音声をリモコン信号に応じて切り替える制御などが挙げられる。
【００２５】
また、図２に示すように、ＣＰＵ１１８は、視聴予約処理部１１８ａ、視聴者有無判定部１１８ｂ、輝度調整部１１８ｃ、音量調整部１１８ｄおよび行動情報更新部１１８ｅとして機能する。すなわち、ＣＰＵ１１８は、対応するプログラムをＲＯＭ１１６から読み出すことによって、符号１１８ａ〜１１８ｅで示される各部として機能する。
【００２６】
視聴予約処理部１１８ａは、テレビ１に視聴予約が登録されると、内蔵時計１２２が指し示す時刻を監視する。視聴予約処理部１１８は、視聴予約された番組の開始時刻になると、テレビ１がスタンバイモードになっている場合には、テレビ１をスタンバイモードから通常モードに復帰させるための処理を行う。そして、視聴予約処理部１１８は、テレビ１に視聴予約された番組を再生させるために、必要に応じて、チューナ１０３が何れのチャンネルを介して伝送された番組を受信するかを制御するとともに、映像セレクタ１０７および音声セレクタ１１１を制御する。
【００２７】
視聴者有無判定部１１８ｂは、視聴予約された番組の開始時刻に、人感センサ１２１が出力するセンサ信号に基づいて、テレビ１の周囲におけるユーザ（視聴者）の有無を判定する。
【００２８】
また、視聴者有無判定部１１８ｂは、テレビ１の周囲にユーザが居ないと判定した場合、視聴予約された番組の開始時刻を過ぎてからも、しばらくの間、視聴予約された番組をユーザが実際に視聴するか否かを推定するための処理を行う。
【００２９】
具体的には、視聴者有無判定部１１８ｂは、人感センサ１２１が出力するセンサ信号を継続的に監視することで、テレビ１の周囲に人が来たか否かを判定する。テレビ１の周囲に人が来たと判定した場合には、視聴予約された番組をユーザが実際に視聴すると推定して、上記処理を終了する。また、視聴者有無判定部１１８ｂは、センサ信号の監視中に、ユーザの行動情報に基づいて、視聴予約された番組をユーザが実際に視聴する傾向が強いか弱いかを判定する。ここで、ユーザの行動情報とは、現在までに登録された視聴予約について、視聴予約された番組の開始時刻頃にテレビ１の周囲にユーザが居た傾向が強いか弱いかを示す情報であるが、詳細については後で説明する。
【００３０】
視聴者有無判定部１１８ｂは、視聴予約された番組をユーザが実際に視聴する傾向が弱いと判定した場合には、その時点で上記処理を終了し、テレビ１をスタンバイモードに移行させる。同様に、人感センサ１２１が出力するセンサ信号を一定期間継続的に監視した結果、テレビ１の周囲に人が来ないと判定した場合にも、上記処理を終了し、テレビ１をスタンバイモードに移行させる。
【００３１】
輝度調整部１１８ｃは、液晶パネル１１０ｂに表示される画像の輝度を調整するためにバックライト制御回路１１０ｃを制御する。
【００３２】
音量調整部１１８ｄは、スピーカ１１４から出力される音の大きさを調整するために、音声処理回路１１２を制御する。
【００３３】
行動情報更新部１１８ｅは、上記一定期間が経過するまでにテレビ１をスタンバイモードにさせたか否かに基づいて、テレビ１の行動情報を更新する。
【００３４】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Scalable Vector Graphics）データなども、このＲＯＭ１１６に格納される。一方、ＲＡＭ１１７は、ＣＰＵ１１８が演算のために参照するデータ、及び、ＣＰＵ１１８が演算によって生成したデータなどの可変データが格納される、読み出し可能かつ書き込み可能なメモリである。なお、このようなデータの例としては、前述の行動情報、および、視聴予約の登録情報が挙げられる。
【００３５】
イーサネットＩ／Ｆ１１５は、テレビ１をネットワークに接続するためのインターフェースである。上述したＩＰ放送チューナ１０５は、このイーサネットＩ／Ｆ１１５を介してインターネット上のサーバにアクセスする。
【００３６】
ＬＣＤ１１０は、図２に示すように、バックライト１１０ａ、液晶パネル１１０ｂ、およびバックライト制御回路１１０ｃを備えている。
【００３７】
バックライト１１０ａは、液晶パネル１１０ｂに向けてバックライトを照射するＬＥＤバックライトである。
【００３８】
液晶パネル１１０ｂには、液晶パネル１１０ｂの液晶を透過したバックライトにより映像が表示される。透過されるバックライトの光量は、ゲートドライバおよびソースドライバの駆動電圧により制御される。
【００３９】
バックライト制御回路１１０ｃは、バックライト１１０ａの輝度を制御する。
【００４０】
以上、テレビ１の構成について、説明した。
【００４１】
（視聴予約された番組の開始時刻になったときのテレビ１の動作）
次に、視聴予約された番組の開始時刻になったときにスタンバイモードになっているテレビ１が行う動作について、図３〜図６を参照しながら説明するが、以下では、１日を３時間毎に区切った８つの時間帯のうち上記開始時刻が属する時間帯を「対象時間帯」と称することにする。なお、各時間帯の長さは３時間に限定されないことは言うまでもない。例えば、各時間帯の長さが１時間または２時間であってもよい。
【００４２】
図３は、視聴予約によりテレビ１が対象時間帯内に起動した回数が一定回数に達していない場合のテレビ１の上記動作を示すフローチャート図である。図４は、図３の動作中にテレビ１が実行する行動情報更新処理を詳細に示したフローチャート図である。図５は行動情報を模式的に例示した図である。図６は、視聴予約によりテレビ１が対象時間帯内に起動した回数が一定回数に達してからのテレビ１の上記動作を示すフローチャート図である。なお、上記一定回数としては、例えば、「１０回」が挙げられるが、これに限られない。ただし、本実施形態では上記一定回数が「１０回」であるものとして説明を行う。
【００４３】
最初に、視聴予約処理部１１８ａは、行動情報にアクセスし、視聴予約によりテレビ１が対象時間帯内に起動した回数を参照する。すなわち、視聴予約処理部１１８ａは、行動情報内の対象時間帯の「予約起動カウント」の値を参照する。
【００４４】
予約起動カウントの値が１０未満である場合には、テレビ１は、図３のフローチャートで示された動作を開始する。
【００４５】
まず、視聴者有無判定部１１８ｂは、テレビ１の周囲にユーザが居るか居ないかを判定する（Ｓ１）。テレビ１は、ユーザが居ると判定した場合にはＳ９の処理に進み、ユーザが居ないと判定した場合にはＳ２の処理に進む。
【００４６】
Ｓ２において、視聴予約処理部１１８ａは、テレビ１をスタンバイモードから復帰させ、視聴予約された番組がＬＣＤ１１０に表示されるように、チューナ１０３、映像セレクタ１０７、映像処理回路１０８等の各部を制御する。また、輝度調整部１１８ｃは、液晶パネル１１０ｂに表示される映像の輝度が通常よりも下がるように、バックライト制御回路１１０ｃを制御する。
【００４７】
Ｓ２の後、視聴者有無判定部１１８ｂは、テレビ１の周囲にユーザが居るか居ないかを判定する（Ｓ３）。テレビ１は、ユーザが居ると判定した場合にはＳ４の処理に進み、ユーザが居ないと判定した場合にはＳ５の処理に進む。
【００４８】
Ｓ４において、輝度調整部１１８ｃは、液晶パネル１１０ｂに表示される映像の輝度が通常の輝度に戻るように、バックライト制御回路１１０ｃを制御する。テレビ１は、Ｓ４の処理の後、Ｓ９の処理に進む。
【００４９】
Ｓ５において、音量調整部１１８ｄは、スピーカ１１４から出力される音の大きさが通常よりも大きくなるように、音声処理回路１１２を制御する。
【００５０】
Ｓ５の後、視聴者有無判定部１１８ｂは、テレビ１の周囲にユーザが居るか居ないかを判定する（Ｓ６）。テレビ１は、ユーザが居ると判定した場合にはＳ７の処理に進み、ユーザが居ないと判定した場合にはＳ８の処理に進む。
【００５１】
Ｓ７において、輝度調整部１１８ｃは、液晶パネル１１０ｂに表示される映像の輝度が通常の輝度に戻るように、バックライト制御回路１１０ｃを制御する。一方、音量調整部１１８ｄは、スピーカ１１４から出力される音の大きさが通常よりも大きくなるように、音声処理回路１１２を制御する。
【００５２】
Ｓ８において、視聴予約処理部１１８ａは、テレビ１をスタンバイモードに移行させる。すなわち、視聴予約処理部１１８ａは、番組映像の表示、および、番組音声の出力に関与していた各部に対する電力供給を停止させる。テレビ１は、Ｓ８の処理の後、Ｓ９の処理に進む。
【００５３】
Ｓ９において、テレビ１は、行動情報更新処理を実行する。この行動情報更新処理の詳細について、参照する図面を図４に変えて説明する。なお、以下では、対象時間帯が“ＰＭ０：００→ＰＭ３：００”であってＳ２１の直前の行動情報が図５に示すようなものであるケースを例に挙げながら行動情報更新処理の説明を行う。
【００５４】
Ｓ２１において、行動情報更新部１１８ｅは、現在の時間帯（対象時間帯）の予約起動カウントを１増やすことで、ＲＡＭ１１７の行動情報を更新する。上記の例では、行動情報更新部１１８ｅは、予約起動カウントを“３”から“４”に増やす。
【００５５】
Ｓ２１の後、行動情報更新部１１８ｅは、テレビ１がスタンバイモードに移行したか否かを判定する（Ｓ２２）。テレビ１は、スタンバイモードに移行したと判定した場合にはＳ２３の処理に進み、スタンバイモードに移行していないと判定した場合にはＳ２４の処理に進む。
【００５６】
Ｓ２３において、行動情報更新部１１８ｅは、現在の時間帯の不在カウントを１増やすことで、ＲＡＭ１１７の行動情報を更新する。上記の例では、行動情報更新部１１８ｅは、不在カウントを“１”から“２”に増やす。テレビ１は、Ｓ２３の処理の後、Ｓ２４の処理に進む。
【００５７】
Ｓ２４において、行動情報更新部１１８ｅは、現在の時間帯の不在確率を更新することで、ＲＡＭ１１７の行動情報を更新する。上記の例では、行動情報更新部１１８ｅは、直前のステップがＳ２３である場合に不在確率を“０．３３”から“０．５”に増やし、直前のステップがＳ２２である場合に不在確率を“０．３３”から“０．２５”に減らす。
【００５８】
テレビ１は、Ｓ２４の処理の完了を以って、Ｓ９の行動情報更新処理を完了する。
【００５９】
テレビ１は、Ｓ９の直前の工程がＳ４またはＳ７である場合、Ｓ９の処理の完了後、視聴予約された番組を通常通りに再生する。
【００６０】
一方、テレビ１は、Ｓ９の直前の工程がＳ１またはＳ１０である場合、Ｓ９の処理の完了後、Ｓ１０の処理に進む。
【００６１】
Ｓ１０において、視聴者有無判定部１１８ｂは、テレビ１の周囲にユーザが居るか居ないかを判定する。視聴者有無判定部１１８ｂは、テレビ１の周囲にユーザが居ないと判定した場合には、しばらく経ってから、再度、テレビ１の周囲にユーザが居るか居ないかを判定する。一方、テレビ１は、周囲にユーザが居ると判定した場合には、Ｓ１１の処理に進む。
【００６２】
Ｓ１１において、視聴予約処理部１１８ａは、テレビ１をスタンバイモードから復帰させ、視聴予約された番組が通常通りに再生されるように、各部を制御する。
【００６３】
以上、視聴予約により対象時間帯内に起動した回数が一定回数に達していないテレビ１が、視聴予約された番組の開始時刻になったときに行う動作について説明した。なお、Ｓ１０およびＳ１１の説明からわかるように、テレビ１は、Ｓ８の処理を実行した後、視聴予約された番組の終了時刻を過ぎるか、周囲に人が居ると判定するまで、Ｓ１０の処理を繰り返すことになる。
【００６４】
次に、視聴予約により対象時間帯内に起動した回数が一定回数に達したテレビ１が、視聴予約された番組の開始時刻になったときに行う動作について図５および図６を参照して説明する。以下では、Ｓ４１の直前の行動情報が図５に示すようなものであるケースを例に挙げながら説明を行う。
【００６５】
視聴予約処理部１１８ａが、行動情報内の対象時間帯の「予約起動カウント」の値を参照した結果、予約起動カウントの値が１０以上である場合には、テレビ１は、図６のフローチャートで示された動作を開始する。
【００６６】
図６のＳ４１、Ｓ４２、Ｓ９の処理は、それぞれ、図３のＳ１、Ｓ２、Ｓ９の処理と同じであるので、説明を省略する。
【００６７】
テレビ１は、Ｓ４２の処理の後、Ｓ４３の処理に進む。
【００６８】
Ｓ４３において、視聴者有無判定部１１８ｂは、ＲＡＭ１１７の行動情報を参照する。
【００６９】
Ｓ４３の後、Ｓ４４において、視聴者有無判定部１１８ｂは、参照した行動情報に基づいて、対象時間帯の不在確率が所定の閾値以上であるか否かを判定する。例えば、対象時間帯が“ＰＭ６：００→ＰＭ９：００”であって所定の閾値が０．７である場合、対象時間帯の不在確率が所定の閾値未満であると判定する。また、例えば、対象時間帯が“ＡＭ０：００→ＡＭ３：００”であって所定の閾値が０．７である場合、対象時間帯の不在確率が所定の閾値以上であると判定する。
【００７０】
テレビ１は、Ｓ４４において対象時間帯の不在確率が所定の閾値以上であると判定した場合にはＳ５０の処理に進み、対象時間帯の不在確率が所定の閾値未満であると判定した場合には、Ｓ４５の処理に進む。
【００７１】
Ｓ４４以降のＳ９、Ｓ４５〜Ｓ５０、Ｓ５２、Ｓ５３の処理は、それぞれ、図３のＳ９、Ｓ３〜Ｓ８、Ｓ１０、Ｓ１１の処理と同じであるので、説明を省略する。
【００７２】
以上、テレビ１の動作について説明した。
【００７３】
以上のように、テレビ１は、対象時間帯の起動カウント回数が所定の閾値以上になる（すなわち、ユーザが視聴予約した番組を対象時間帯に視聴する傾向が強いか弱いかが不在確率の値としてある程度反映されてくる）と、不在確率を参照するようになる。
【００７４】
そして、テレビ１は、周囲にユーザがいない場合、不在確率の値が所定の閾値以上であるときは、不在確率の値が所定の閾値未満であるときよりも、早くスタンバイモードに移行するようになる。
【００７５】
なお、テレビ１は、視聴予約によりテレビ１が対象時間帯内に起動した回数が一定回数に達していない場合に必ず上記動作を行うように構成してもよいが、このような構成に限定されない。例えば、テレビ１は、視聴予約により対象時間帯内に起動した回数が一定回数に達していない場合に、図３のフローチャートに従った動作と図６のフローチャートに従った動作とのいずれの動作を行わせるかをユーザが指定可能に構成されていてもよい。
【００７６】
（テレビ１の変形例に係る動作）
次に、視聴予約された番組の開始時刻になったときにスタンバイモードになっているテレビ１が行う変形例に係る動作について、図７〜図９を参照しながら説明する。
【００７７】
図７は、テレビ１の上記動作を示すフローチャート図である。図８は、図７の動作中にテレビ１が実行する行動情報更新処理を詳細に示したフローチャート図である。図９は行動情報を模式的に例示した図である。
【００７８】
まず、視聴者有無判定部１１８ｂは、テレビ１の周囲にユーザが居るか居ないかを判定する（Ｓ６１）。テレビ１は、ユーザが居ると判定した場合にはＳ７１の処理に進み、ユーザが居ないと判定した場合にはＳ６２の処理に進む。
【００７９】
図７のＳ６２、Ｓ６３の処理は、それぞれ、図６のＳ４２、４３の処理と同じであるため説明を省略する。
【００８０】
Ｓ６３の後、Ｓ６４において、視聴者有無判定部１１８ｂは、参照した行動情報に基づいて、対象時間帯の重み値Ｍ（初期値０）の値が所定の閾値（正の数であり、例えば、７）以上であるか否かを判定する。
【００８１】
テレビ１は、Ｓ６４において対象時間帯のＭの値が所定の閾値以上であると判定した場合にはＳ７０の処理に進み、対象時間帯のＭの値が所定の閾値未満であると判定した場合にはＳ６５の処理に進む。
【００８２】
Ｓ６４以降のＳ６５〜Ｓ７０、Ｓ７２、Ｓ７３の処理は、それぞれ、図３のＳ９、Ｓ３〜Ｓ８、Ｓ１０、Ｓ１１の処理と同じであるので、説明を省略する。
【００８３】
次に、Ｓ６１、Ｓ６６、Ｓ６９およびＳ７０の次に実行されるＳ７１の行動情報更新処理について、参照する図面を図８に変えて説明する。なお、以下では、対象時間帯が“ＰＭ０：００→ＰＭ３：００”であってＳ６１の直前の行動情報が図９に示すようなものであるケースを例に挙げながら行動情報更新処理の説明を行う。
【００８４】
図８のＳ８１〜Ｓ８３の処理は、それぞれ、図４のＳ２１〜Ｓ２３の処理と同じであるので、説明を省略する。
【００８５】
テレビ１は、Ｓ８３の処理の後、Ｓ８４の処理に進む。
【００８６】
Ｓ８４において、行動情報更新部１１８ｅは、現在の時間帯の予約起動カウントが１０であるか否かを判定する。行動情報更新部１１８ｅは、予約起動カウントが１０でないと判定した場合には行動情報更新処理を終了し、予約起動カウントが１０であると判定した場合にはＳ８５の処理に進む。
【００８７】
Ｓ８５において、行動情報更新部１１８ｅは、現在の時間帯の不在カウントが７以上であるか否かを判定する。行動情報更新部１１８ｅは、現在の時間帯の不在カウントが７未満であると判定した場合にはＳ８６にて重み値Ｍを１減らし、Ｓ８９の処理に進む。
【００８８】
一方、行動情報更新部１１８ｅは、現在の時間帯の不在カウントが７以上であると判定した場合にはＳ８７にて、重み値Ｍが１０（Ｍの最大値）であるか否かを判定する。行動情報更新部１１８ｅは、現在の時間帯の不在カウントが１０でないと判定した場合にはＳ８８にて重み値Ｍを１増やし、Ｓ８９の処理に進む。行動情報更新処理を終了する。なお、行動情報更新部１１８ｅは、現在の時間帯の不在カウントが１０でないと判定した場合には、重み値Ｍを変更せずに、Ｓ８９の処理に進む。
【００８９】
Ｓ８９において、行動情報更新部１１８ｅは、現在の時間帯の予約起動カウントおよび不在カウントをそれぞれ０にリセットした上で、行動情報更新処理を終了する。
【００９０】
以上、行動情報更新処理の詳細なについて説明した。なお、図８中の数値に関し、Ｓ８４、Ｓ８７における“１０”の値、および、Ｓ８５の“７”の値はそれぞれ一例に過ぎない事に触れておく。
【００９１】
参照する図面を図７に戻してテレビ１の動作の説明を続ける。
【００９２】
テレビ１は、Ｓ７１の直前の工程がＳ６６またはＳ６９である場合、Ｓ７１の処理の完了後、視聴予約された番組を通常通りに再生する。
【００９３】
一方、テレビ１は、Ｓ７１の直前の工程がＳ６１またはＳ７０である場合、Ｓ７１の処理の完了後、Ｓ７２の処理に進む。
【００９４】
Ｓ７２において、視聴者有無判定部１１８ｂは、テレビ１の周囲にユーザが居るか居ないかを判定する。視聴者有無判定部１１８ｂは、テレビ１の周囲にユーザが居ないと判定した場合には、しばらく経ってから、再度、テレビ１の周囲にユーザが居るか居ないかを判定する。一方、テレビ１は、周囲にユーザが居ると判定した場合には、Ｓ７３の処理に進む。
【００９５】
Ｓ７３において、視聴予約処理部１１８ａは、テレビ１をスタンバイモードから復帰させ、視聴予約された番組が通常通りに再生されるように、各部を制御する。
【００９６】
以上、テレビ１の変形例に係る動作について説明した。
【００９７】
以上のように、テレビ１は、周囲にユーザがいない場合、対象時間帯のＭの値が所定の閾値以上である（すなわち、ユーザが視聴予約した番組を対象時間帯に視聴する傾向が強い）ときは、Ｍの値が所定の閾値未満であるときよりも、早くスタンバイモードに移行するようになる。なお、Ｍの初期値が所定の閾値未満であることは、ユーザが視聴予約した番組を対象時間帯に視聴する傾向が弱いか、あるいは、対象時間帯に始まる番組の視聴予約がこれまでに登録された回数が少ないか、のいずれかを示している。
【００９８】
なお、変形例に係る動作を行うようにテレビ１を構成した場合、行動情報に含まれる各時間帯の各カウントは最大でも１０にしかならないため、行動情報のサイズが際限なく大きくはならないというメリットがある。
【００９９】
（テレビ１の利点）
以上のように、本実施形態に係るテレビ１では、視聴予約処理部１１８ａが、チューナ１０３、映像セレクタ１０７、音声セレクタ１１１、映像処理回路１０８、音声処理回路１１２、ＬＣＤ１１０、スピーカ１１４等を駆動させることにより、視聴予約された番組を再生する。
【０１００】
そして、視聴者有無判定部１１８ｂは、視聴予約された番組の開始時刻に、人感センサ１２１からのセンサ信号に基づいて、テレビ１の周囲に人が居るか否かを判定する。
【０１０１】
さらに、視聴者有無判定部１１８ｂは、視聴予約された番組の開始時刻にテレビ１の周囲に人が居ないと判定した場合に、上記一定期間が経過するまでに、視聴者有無判定部１１８ｂによる過去の各判定結果が反映されたユーザの行動情報に基づいて、視聴予約した番組をユーザが視聴する傾向が強いか弱いかを判定する。
【０１０２】
視聴予約処理部１１８ａは、上記番組の再生中に、視聴者有無判定部１１８ｂにより、上記特定期間内に周囲に人が来なかったと判定されるか、上記傾向が弱いと判定された場合には、判定の時点で、上記番組の再生を終了させる。
【０１０３】
上記の構成によれば、テレビ１は、視聴予約された番組の開始時刻にテレビ１の周囲にユーザが居ない場合にも、その後すぐにテレビ１の周囲にユーザが来た場合には、上記一定期間が過ぎても、視聴予約された番組を継続して再生する。したがって、例えば、リビングにテレビ１が設置されており、視聴予約された番組の開始時刻に隣接するキッチンで主婦が料理をしていたとしても、主婦は、視聴予約していたことに気付いてテレビ１の傍に移動すれば、視聴予約していた番組を視聴できる。
【０１０４】
また、テレビ１は、視聴予約された番組の開始時刻から一定期間内にユーザがテレビ１の周囲に来ない場合には、テレビ１をスタンバイモードに移行させる。したがって、例えば、番組の放送時間帯にテレビ１が設置されている家に誰も居ない場合には、近くにユーザが居ないのに番組を再生し続けることによる無駄な消費電力が削減されることになる。
【０１０５】
特に、テレビ１は、ユーザが視聴予約された番組を視聴する傾向が弱いと判定した場合、上記一定期間が経過する前に、テレビ１をスタンバイモードに移行させる。これにより、上記の無駄な消費電力は一層削減されることになる。
【０１０６】
以上のように、テレビ１は、近くに居るユーザが視聴予約した番組をリアルタイム視聴する機会の損失の抑制と、番組が視聴されていないのに番組を再生し続けることによる無駄な消費電力の削減と、を両立させることができるという効果を奏する。
【０１０７】
（付記事項１）
視聴者有無判定部１１８ｂは、人感センサ１２１が出力するセンサ信号に基づいてテレビ１の周囲にユーザが居るか否かを判定する構成に限られない。例えば、視聴者有無判定部１１８ｂは、カメラ１２０により得られた撮像画像内に顔画像が含まれているか否かを判定することで、テレビ１の周囲にユーザが居るか否かを判定してもよい。
【０１０８】
（付記事項２）
テレビ１は、ユーザを識別するための識別情報（ユーザの顔画像等）を登録可能に構成されてもよい。また、テレビ１は、ＣＰＵ１１８が、カメラ１２０から常に送られてくる映像を解析することでテレビ１を使用中のユーザを認識するユーザ認識部（特許請求の範囲の「認識手段」に対応）として機能するように構成されていてもよい。
【０１０９】
この場合、テレビ１の視聴予約処理部１１８は、視聴予約の登録情報をユーザ毎に独立してＲＡＭ１１７に保存してもよい。例えば、テレビ１が、ユーザＡがテレビ１を使用していると認識している状態で視聴予約を登録するための操作を受け付けた場合を考える。この場合、テレビ１は、ユーザＡにより操作がされたと認識するが、視聴予約処理部１１８は、視聴予約の登録情報をユーザＡの登録情報としてＲＡＭ１１７に保存してもよい。
【０１１０】
そして、テレビ１には、識別情報が登録されているユーザ毎に、対象ユーザの行動情報が保持されてもよく、テレビ１は、ユーザ毎に、対象ユーザの行動情報を更新してもよい。
【０１１１】
具体的には、視聴者有無判定部１１８ｂは、対象ユーザによる視聴予約された番組の開始時刻において、ユーザ認識部が対象ユーザを認識しているか否かに基づいて、対象ユーザがテレビ１の周囲に居るか否かを判定してもよい。視聴者有無判定部１１８ｂは、対象ユーザが居ないと判定した場合、一定期間が過ぎるまでの間にユーザ認識部が対象ユーザを認識したか否かに基づいて、対象ユーザがテレビ１の周囲に来たか否かを判定してもよい。そして、行動情報更新部１１８ｅは、これらの判定結果に基づいて対象ユーザの行動情報を更新してもよい。
【０１１２】
さらに、テレビ１の視聴者有無判定部１１８ｂは、ユーザ毎に、対象ユーザの行動情報に基づいて、対象ユーザが自身で視聴予約の操作を行った番組を実際に視聴する傾向が強いか弱いかを判定してもよい。そして、視聴予約処理部１１８は、対象ユーザが番組を実際に視聴する傾向が弱いと判定されるか、対象ユーザが一定期間内にテレビ１の周囲に来なかったと判定された場合に、判定の時点で視聴予約された番組の再生を終了してもよい。
【０１１３】
（付記事項３）
Ｓ８（Ｓ５０、Ｓ７０）において、視聴予約処理部１１８ａは、視聴予約された番組の再生を終了し、その後に、テレビ１をスタンバイモードではなく節電モードに移行させてもよい。
【０１１４】
また、テレビ１は、ＣＰＵ１１８が、ＢＤドライブ１０２に装填されたＢＤ等に番組を録画する録画処理部として機能するように構成されてもよい。この場合、Ｓ８（Ｓ５０、Ｓ７０）において、視聴予約処理部１１８ａが視聴予約された番組の再生を終了し、その後に、録画処理部が視聴予約された番組の録画を開始させてもよい。
【０１１５】
（付記事項４）
前述したように、本発明は、テレビ１に限定されない。例えば、本発明を携帯電話としても実施することができる。この場合、携帯電話が備える視聴者有無判定部は、視聴予約された番組を番組の開始時点でユーザが視聴しているか否かを、例えば、携帯電話に内蔵された加速度センサからの信号に基づいて判定してもよい。同様に、番組が開始されてからの特定期間内にユーザが番組を視聴し始めたか否かを、加速度センサからの信号に基づいて判定してもよい。
【０１１６】
（付記事項５）
上記実施形態では、テレビ１は、視聴予約された番組の開始時刻にＳ１（Ｓ４１）の処理を行うものとしたが、開始時刻の一定時間前（直前）にＳ１（Ｓ４１）の処理を行ってもよく、開始時刻になってから、Ｓ２以降の処理を行っても良い。また、テレビ１は、開始時刻の直後にＳ１（Ｓ４１）の処理を行ってもよい。
【０１１７】
（付記事項６）
視聴予約された番組の再生が開始されてからＳ８の処理を実行するまでの期間（特許請求の範囲の「特定期間」に対応）の長さは、上述の実施形態のように一定であってもよいし、状況に応じて（例えば、時間帯やユーザに応じて）長さが異なってもよい。
【０１１８】
（付記事項７）
テレビ１は、図６のＳ４５、Ｓ４７〜Ｓ４９の処理を必ずしも実行する必要はない。
【０１１９】
すなわち、テレビ１は、Ｓ４４において不在確率が所定の閾値以上であると判定した場合にはＳ５０の処理に進み、Ｓ４４において不在確率が所定の閾値未満であると判定した場合にはＳ４６の処理に進んでもよい。換言すれば、テレビ１は、Ｓ４４において不在確率が所定の閾値未満であると判定した場合には、視聴予約された番組を、番組終了時刻まで継続して再生してもよい。
【０１２０】
同様に、テレビ１は、図６のＳ６５、Ｓ６７〜Ｓ６９の処理を必ずしも実行する必要はない。すなわち、テレビ１は、Ｓ６４においてＭの値が所定の閾値以上であると判定した場合にはＳ７０の処理に進み、Ｓ６４においてＭの値が所定の閾値未満であると判定した場合にはＳ６６の処理に進んでもよい。換言すれば、テレビ１は、Ｓ６４においてＭの値が所定の閾値未満であると判定した場合には、視聴予約された番組を、番組終了時刻まで継続して再生してもよい。
【０１２１】
（付記事項８）
テレビ１の視聴予約処理部１１８ａは、視聴予約の登録を受け付けた時に、視聴予約された番組の開始時刻が属する時間帯の不在確率を参照してもよい。そして、視聴予約処理部１１８ａは、参照した不在確率が所定の閾値以上である場合には、視聴予約された番組の放送時間帯に不在だった場合に番組の録画予約をするか否かを問い合わせるメッセージをＬＣＤ１１０に表示させてもよい。
【０１２２】
そして、視聴予約処理部１１８ａは、赤外線受光部１１９を通じて、視聴予約された番組の放送時間帯に不在だった場合に番組の録画予約をする旨の操作指示をユーザから受け付けた場合には、Ｓ８、Ｓ５０、Ｓ７０等の工程において、スタンバイモードにテレビ１を移行させる代わりに、番組の再生を終了した上でその番組の録画を開始してもよい。
【０１２３】
（まとめ）
以上のように、本発明の一態様に係る番組再生装置（テレビ１）は、視聴予約された番組を再生する再生手段（視聴予約処理部１１８ａ、輝度調整部１１８ｃ、音量調整部１１８ｄ）と、上記番組の開始時刻、または、当該開始時刻の直前に、自装置の周囲に人が居るか否かを判定する第１判定手段（視聴者有無判定部１１８ｂ）と、第１判定手段によって周囲に人が居ないと判定された場合、第１判定手段による過去の各判定結果に基づいて、視聴予約した番組をユーザが視聴する傾向が強いか弱いかを判定する第２判定手段（視聴者有無判定部１１８ｂ）と、を備え、上記再生手段は、第２判定手段により上記傾向が弱いと判定された場合には判定の時点で上記番組の再生を終了し、第２判定手段により上記傾向が強いと判定された場合には、判定の時点以降も上記番組の再生を継続する、ことを特徴としている。
【０１２４】
上記の構成によれば、上記番組再生装置は、視聴予約された番組の開始時刻に自装置の周囲にユーザが居ないと判定した場合には、その後に、ユーザが視聴予約された番組を視聴する傾向が強いか弱いかを判定する。
【０１２５】
そして、上記番組再生装置は、上記傾向が弱いと判定したときは、判定の時点で、視聴予約された番組の再生を終了する。これにより、視聴予約された番組が実際に視聴される可能性が低いにも関わらず番組の再生を継続することによる無駄な消費電力は削減されることになる。
【０１２６】
また、上記番組再生装置は、上記傾向が強いと判定したときは、判定の時点以降も、視聴予約された番組の再生を継続する。したがって、視聴予約された番組をこれまでほぼ必ず視聴していたユーザが、たまたま、視聴予約された番組の開始時刻に上記番組再生装置の周囲に居なかったとしても、その後に上記番組再生装置の周囲に移動すれば、視聴予約していた番組を視聴できる。
【０１２７】
したがって、上記番組再生装置は、視聴予約した番組をリアルタイム視聴する機会の損失の抑制と、上記番組が視聴される可能性が低いのに上記番組を再生し続けることによる無駄な消費電力の削減と、を両立させることができるという効果を奏する。
【０１２８】
なお、上記番組再生装置では、第２判定手段は、第１判定手段による過去の一連の判定結果のみに基づいて判定を行うため、上記番組再生装置は、第２判定手段の判定時に人感センサやカメラ等の検知装置を稼動させる必要はない。すなわち、上記番組再生装置は、常に人感センサやカメラの検知装置を稼動させる必要はなく、視聴予約の開始時刻頃（第１判定手段による判定のタイミング）にだけ人感センサやカメラ等の検知装置を稼動させることもできる。
【０１２９】
また、第２判定手段は、第１判定手段による過去の一連の判定結果のみに基づいて判定を行うため、第１判定手段と第２判定手段との両者を機能させるために必要な電力は、第１判定手段のみを機能させるために必要な電力とほとんど変わらない。
【０１３０】
このように、上記番組再生装置は、第１判定手段と再生手段とを備え第２判定手段を備えない従来の番組再生装置と比べても、判定手段を機能させるための消費電力をほとんど増やすことなく、前述の効果を得ることができる。
【０１３１】
本発明の一態様に係る番組再生装置の番組再生方法は、視聴予約された番組を再生する再生工程と、上記番組の開始時刻、または、当該開始時刻の直前に、自装置の周囲に人が居るか否かを判定する第１判定工程と、第１判定工程にて周囲に人が居ないと判定された場合、過去の第１判定工程における各判定結果に基づいて、視聴予約した番組をユーザが視聴する傾向が強いか弱いかを判定する第２判定工程と、を含み、上記再生工程は、第２判定工程にて上記傾向が弱いと判定された場合には判定の時点で終了し、第２判定工程により上記傾向が強いと判定された場合には、判定の時点以降も継続する、ことを特徴としている。
【０１３２】
上記の構成によれば、上記番組再生方法は、本発明の一態様に係る番組再生装置と同様の作用効果を奏する。
【０１３３】
本発明の一態様に係る番組再生装置は、第１判定手段によって周囲に人が居ないと判定された場合、上記開始時刻になってからの特定期間であって上記判定の時点を期間の途中に含む特定期間内に周囲に人が来たか否かを判定する第３判定手段（視聴者有無判定部１１８ｂ）をさらに備え、第２判定手段は、第１判定手段によって周囲に人が居ないと判定された場合、第１判定手段および第３判定手段による過去の各判定結果に基づいて、視聴予約した番組をユーザが視聴する傾向が強いか弱いかを判定し、上記再生手段は、第２判定手段により上記傾向が強いと判定され、その後に第３判定手段により上記特定期間内に周囲に人が来なかったと判定された場合には、第３判定手段による判定の時点で、上記番組の再生を継続せずに終了する、ことが望ましい。
【０１３４】
上記の構成によれば、上記番組再生装置は、視聴予約した番組をユーザが視聴する傾向が強いと判定した場合であっても、上記特定期間内にユーザが来なかったときは、上記番組の再生を継続せずに終了する。したがって、視聴予約された番組をこれまでほぼ必ず視聴していたユーザが、たまたま、番組の放送時間帯に外出しており番組を視聴できない状況にあった場合、上記番組再生装置は、上記特定期間を過ぎてから、番組の再生を継続せずに終了する。
【０１３５】
これにより、上記番組再生装置は、視聴されていないのに上記番組を再生し続けることによる無駄な消費電力を一層削減できるというさらなる効果を奏する。
【０１３６】
本発明の一態様に係る番組再生装置は、上記再生手段が、第１判定手段により自装置の周囲に人がいないと判定された場合、上記特定期間中に、第１判定手段が自装置の周囲に人がいると判定した場合よりも音量が大きくなるように番組の音声を再生する、ことが望ましい。
【０１３７】
上記の構成によれば、上記番組再生装置は、視聴予約がされた番組が開始した時点で自装置が設定されている部屋に隣接する部屋にユーザが居る場合に、そのユーザに番組の再生が開始したことに気付かせることができる。したがって、隣接する部屋に居るユーザが、視聴予約した番組をリアルタイム視聴する機会の損失の一層抑制することができる、というさらなる効果を奏する。
【０１３８】
本発明の一態様に係る番組再生装置は、上記再生手段が、第１判定手段により自装置の周囲に人がいないと判定された場合、上記特定期間中に、第１判定手段が自装置の周囲に人がいると判定した場合よりも映像が低輝度になるように番組の映像を再生する、ことが望ましい。
【０１３９】
上記の構成によれば、上記番組再生装置は、自装置が非常に広い部屋に設置されている場合に、視聴予約がされた番組が開始した時点から番組を視聴しているユーザであるが、自装置から遠く離れた位置にいるユーザを、自装置に近くに近づけることができる。遠く離れた位置にいるユーザは、輝度が低く番組を視聴し難いため、番組再生装置に近づかざるを得ないからである。
【０１４０】
そして、上記番組再生装置は、そのようなユーザが番組再生装置の周囲まで近づいた場合、上記特定期間が過ぎても、視聴予約された番組を継続して再生する。
【０１４１】
したがって、上記番組再生装置は、自装置から遠く離れた位置から番組を視聴しているユーザが居るにも関わらず、上記特定期間後に番組の再生を停止してしまう事態の発生を抑制することができる、というさらなる効果を奏する。
【０１４２】
本発明の一態様に係る番組再生装置は、ユーザを識別するための識別情報を登録可能に構成されており、上記識別情報が登録されている複数のユーザの各々について、当該ユーザが自装置の周囲に居る場合に当該ユーザを認識する認識手段（ユーザ認識部）をさらに備え、第１判定手段は、上記視聴予約が上記認識手段によりユーザが認識されている間に登録された視聴予約である場合、当該視聴予約が登録された番組の開始時刻、または、当該開始時刻の直前に、上記認識手段による認識結果に基づいて自装置の周囲に当該ユーザが居るか否かを判定し、第２判定手段は、第１判定手段によって周囲に当該ユーザが居ないと判定された場合、第１判定手段および第３判定手段による当該ユーザを対象とする過去の各判定結果に基づいて、当該ユーザが視聴予約した番組を視聴する傾向が強いか弱いかを判定し、第３判定手段は、第１判定手段によって周囲に当該ユーザが居ないと判定された場合、上記特定期間内に周囲に当該ユーザが来たか否かを判定し、上記再生手段は、第２判定手段により当該ユーザが視聴予約した番組を視聴する傾向が強いと判定され、その後に第３判定手段により上記特定期間内に周囲に当該ユーザが来なかったと判定された場合には、第３判定手段による判定の時点で、上記番組の再生を終了する、ことが望ましい。
【０１４３】
上記の構成によれば、上記番組再生装置は、視聴予約を登録する操作を行ったユーザが視聴予約された番組の放送時に外出しており番組を視聴できない状況にあった場合、その番組の放送時にその番組に関心のない別のユーザが自装置の周囲に居たとしても、番組の再生を途中で終了する。
【０１４４】
したがって、上記番組再生装置は、無駄な消費電力をより一層削減することができる、というさらなる効果を奏する。
【０１４５】
本発明の一態様に係る番組再生装置は、第２判定手段が、該番組再生装置における現在までの視聴予約の登録回数が一定回数に達した場合に限り、第１判定手段および第３判定手段による過去の各判定結果に基づいて、視聴予約した番組をユーザが視聴する傾向が強いか弱いかを判定する、ことが望ましい。
【０１４６】
上記の構成によれば、上記番組再生装置は、視聴予約した番組をユーザが視聴する傾向が強いか弱いかを低い精度でしか判定できない状態では（上記登録回数が一定回数に満たない間は）、少なくとも上記特定期間が経過するまでは視聴予約された番組の再生を継続する。
【０１４７】
したがって、上記番組再生装置は、近くに居るユーザが視聴予約した番組をリアルタイム視聴する機会の損失をより一層抑制することができるというさらなる効果を奏する。
【０１４８】
本発明の一態様に係る番組再生装置は、１日を分割した複数の時間帯の各々について、当該時間帯における第１判定手段および第３判定手段による過去の一連の判定結果に応じて定まる情報を記憶部に記録する記録手段（行動情報更新部１１８ｅ）をさらに備え、第２判定手段は、第１判定手段によって周囲に人が居ないと判定された場合、上記特定期間が属する時間帯における上記判定結果に応じて定まる情報に基づいて、視聴予約した番組をユーザが視聴する傾向が強いか弱いかを判定する、ことが望ましい。
【０１４９】
ここで、昼に放送される番組について毎週視聴予約の登録操作を行った上で番組を必ず視聴するユーザＡと、深夜に放送される番組について毎週視聴予約の登録操作を行うが番組をほとんど視聴しないユーザＢと、が居るものとする。
【０１５０】
上記の構成によれば、上記番組再生装置は、ユーザＢにより視聴予約の登録操作がされた深夜に放送される番組の開始時には、過去の深夜の時間帯における第１判定手段および第２判定手段による各判定結果に基づいて視聴予約した番組をユーザが視聴する傾向が強いか弱いかを判定する。同様に、上記番組再生装置は、ユーザＡにより視聴予約の登録操作がされた昼に放送される番組の開始時には、過去の昼の時間帯における第１判定手段および第２判定手段による各判定結果に基づいて視聴予約した番組をユーザが視聴する傾向が強いか弱いかを判定する。
【０１５１】
したがって、上記番組再生装置は、近くに居るユーザが視聴予約した番組をリアルタイム視聴する機会の損失の抑制効果と、近くにユーザが居ないのに上記番組を再生し続けることによる無駄な消費電力の削減効果と、をより一層高めることができるというさらなる効果を奏する。
【０１５２】
本発明の一態様に係る番組再生装置は、上記再生手段が上記判定の時点で上記番組の再生を終了した後に、自装置をスタンバイモードに移行させる移行手段（視聴予約処理部１１８ａ）をさらに備えている、ことが望ましい。
【０１５３】
上記の構成によれば、上記番組再生装置は、無駄な消費電力をより一層削減することができる、というさらなる効果を奏する。
【０１５４】
本発明の一態様に係る番組再生装置は、上記再生手段が上記判定の時点で上記番組の再生を終了した後に、当該番組の録画を開始する録画手段（録画処理部）をさらに備えている、ことが望ましい。
【０１５５】
上記の構成によれば、上記番組再生装置は、視聴予約した番組をリアルタイム視聴できなかったユーザに、後でその番組を視聴させることができる、というさらなる効果を奏する。
【０１５６】
また、本発明の一態様に係る番組再生装置としてコンピュータを動作させるプログラムであって、コンピュータを上記各手段として機能させるためのプログラムも本発明の範疇に含まれる。また、そのようなプログラムが記録されているコンピュータ読み取り可能な記録媒体も本発明の範疇に含まれる。
【０１５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５８】
（ソフトウェアによる実現例）
最後に、テレビ１の各ブロック、特に視聴予約処理部１１８ａ〜行動情報更新部１１８ｅは、集積回路（ＩＣチップ）上に形成された論理回路によってハードウェア的に実現してもよいし、ＣＰＵ（Central Processing Unit）を用いてソフトウェア的に実現してもよい。
【０１５９】
後者の場合、テレビ１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアであるテレビ１の制御プログラムのプログラムコード（実行形式プログラム、中間コードプログラム、ソースプログラム）をコンピュータで読み取り可能に記録した記録媒体を、テレビ１に供給し、そのコンピュータ（またはＣＰＵやＭＰＵ）が記録媒体に記録されているプログラムコードを読み出し実行することによっても、達成可能である。
【０１６０】
上記記録媒体としては、一時的でない有形の媒体（non-transitory tangible medium）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Programmable logic device）やＦＰＧＡ（Field Programmable Gate Array）等の論理回路類などを用いることができる。
【０１６１】
また、テレビ１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１６２】
本発明は、視聴予約機能を備えたデジタルテレビ、ワンセグ対応の携帯電話等に好適に適用することができる。
【符号の説明】
【０１６３】
１        テレビ（番組再生装置）
１１８      ＣＰＵ
１１８ａ    視聴予約処理部（再生手段、移行手段）
１１８ｂ    視聴者有無判定部（第１判定手段、第２判定手段、第３判定手段）
１１８ｃ    輝度調整部（再生手段）
１１８ｄ    音量調整部（再生手段）
１１８ｅ    行動情報更新部（記録手段）
【図１】
2014072585.tif 000003
【図２】
2014072585.tif 000004
【図３】
2014072585.tif 000005
【図４】
2014072585.tif 000006
【図５】
2014072585.tif 000007
【図６】
2014072585.tif 000008
【図７】
2014072585.tif 000009
【図８】
2014072585.tif 000010
【図９】
2014072585.tif 000011